(57)【要約】【課題】ヘッドホンやイヤホンからスピーカに音声の出力先を切り替えた際の不都合を解消し得る電子機器を提供する。【解決手段】ヘッドホン４のプラグ４ａを接続可能なヘッドホンジャック４７と、音声の音量を調整する音量調整部４２と、プラグ４ａとヘッドホンジャック４７との非接続状態を検出する検出部４３と、検出部４３によって非接続状態が検出されたときに音声の出力先をヘッドホンジャック４７からスピーカ４６に切り替える音声出力切替部４４とを備え、音量調整部４２は、検出部４３によって非接続状態が検出されかつスピーカ４６に出力する音声の音量が所定の音量レベルよりも大きいときに音量を所定の音量レベルまで低下させると共に、低下させた音量を徐々に上昇させる。【選択図】図１
2006140866.tif 000002
【特許請求の範囲】
【請求項１】
ヘッドホンおよびイヤホンの少なくとも一方のプラグを接続可能な音声出力端子と、音声の音量を調整する音量調整部と、前記プラグと前記音声出力端子との非接続状態を検出する検出部と、前記検出部によって前記非接続状態が検出されたときに前記音声の出力先を前記音声出力端子からスピーカに切り替える切替部とを備え、
前記音量調整部は、前記検出部によって前記非接続状態が検出されかつ前記スピーカに出力する前記音声の音量が所定の音量レベルよりも大きいときに当該音量を当該所定の音量レベルまで低下させると共に、当該低下させた音量を徐々に上昇させる電子機器。
【請求項２】
前記音量調整部は、前記音声の音量が前記非接続状態が検出された時点における音量まで上昇したときに当該音量の上昇を停止する請求項１記載の電子機器。
【請求項３】
前記音量調整部は、前記音量の上昇中において所定の操作がされたときに当該音量の上昇を停止する請求項１記載の電子機器。
【発明の詳細な説明】
【技術分野】
【０００１】
本発明は、ヘッドホンおよびイヤホンの少なくとも一方のプラグを接続可能な音声出力端子を備えた電子機器に関するものである。
【背景技術】
【０００２】
この種の電子機器として、特開平８−６５０７０号公報には、スピーカ用およびヘッドホン用の２つの音声調節出力回路を備えたＴＶ受像機が開示されている。このＴＶ受像機では、２つの音声調節出力回路を備えたことにより、スピーカおよびヘッドホンの双方から音声を同時に出力させることが可能になっている。また、スピーカから出力させる音声の音量と、ヘッドホンから出力させる音声の音量とを個別に調節することが可能になっている。しかしながら、例えば、深夜番組を視聴する際に周囲への迷惑を避けるためにヘッドホンを用いるときには、ヘッドホン用の音量を調整するだけでなく、スピーカ用の音量も調整する（下げる）必要がある。したがって、このＴＶ受像機には、使用状況に応じて２種類の音量を調整する必要があるため、操作が煩雑であるという問題点が存在する。この問題点を解決可能な技術として、特開平８−７９８７７号公報には、スピーカから出力させる音声の音量とヘッドホンから出力させる音声の音量とを個別に記憶可能に構成された音声処理出力装置が開示されている。この音声処理出力装置では、スピーカおよびヘッドホンから出力させる音声を個別に設定できるため、ヘッドホンのプラグを外部端子（ヘッドホンジャック）に接続している状態では、ヘッドホン用に設定した音量で音声をヘッドホンから出力させることができ、ヘッドホンのプラグを外部端子から引き抜いたときには、スピーカ用に設定した音量で音声をスピーカから出力させることができる。したがって、プラグの抜き差しだけで、ヘッドホンからの音声出力とスピーカからの音声出力とを比較的容易に切り替えることが可能となっている。
【特許文献１】特開平８−６５０７０号公報（第３頁、第１図）
【特許文献２】特開平８−７９８７７号公報（第３−４頁、第１図）
【発明の開示】
【発明が解決しようとする課題】
【０００３】
ところが、従来の音声処理出力装置には、以下の問題点がある。すなわち、従来の音声処理出力装置では、ヘッドホンのプラグを外部端子から引き抜いたときに、スピーカ用に設定した音量で音声が出力される。このため、例えば、スピーカ用として大きな音量を設定している状態において、ヘッドホンを用いて小さな音量でテレビ番組を視聴し、その後にスピーカからの音声出力に切り替えるためにヘッドホンのプラグを外部端子から引き抜いたときには、スピーカから大音量で音声が突然に出力されることとなる。この場合、ユーザがスピーカ用の音量を大きく設定したことを忘れているときには、大音量の音声が突然に出力されることに起因してユーザを驚かせることとなる。また、このような事態が深夜に発生したときには、近隣に多大な迷惑を掛けることにもなる。
【０００４】
本発明は、かかる問題点に鑑みてなされたものであり、ヘッドホンやイヤホンからスピーカに音声の出力先を切り替えた際の不都合を解消し得る電子機器を提供することを主目的とする。
【課題を解決するための手段】
【０００５】
上記目的を達成すべく電子機器は、ヘッドホンおよびイヤホンの少なくとも一方のプラグを接続可能な音声出力端子と、音声の音量を調整する音量調整部と、前記プラグと前記音声出力端子との非接続状態を検出する検出部と、前記検出部によって前記非接続状態が検出されたときに前記音声の出力先を前記音声出力端子からスピーカに切り替える切替部とを備え、前記音量調整部は、前記検出部によって前記非接続状態が検出されかつ前記スピーカに出力する前記音声の音量が所定の音量レベルよりも大きいときに当該音量を当該所定の音量レベルまで低下させると共に、当該低下させた音量を徐々に上昇させる。
【０００６】
この電子機器では、ヘッドホンまたはイヤホンのプラグと音声出力端子との非接続状態が検出部によって検出され、かつスピーカに出力する音声の音量が所定の音量レベルよりも大きいときに、音量調整部が、音量をその所定の音量レベルまで低下させると共に、低下させた音量を徐々に上昇させる。このため、所定の音量レベルを任意の低レベルに設定することで、例えば、音量を大きく設定してヘッドホンやイヤホンを用いて音声を聴いている状態において、音声出力端子からプラグを引き抜いたとしても、スピーカから大音量の音声が突然出力される事態を確実に防止することができる。したがって、スピーカから大音量の音声が突然出力されることに起因する不都合を確実に解消することができる。
【０００７】
また、本発明に係る電子機器は、上記の電子機器において、前記音量調整部は、前記音声の音量が前記非接続状態が検出された時点における音量まで上昇したときに当該音量の上昇を停止する。
【０００８】
この電子機器では、音声の音量が非接続状態が検出された時点における音量まで上昇したときに、音量調整部が音量の上昇を停止する。このため、特別な操作を行うことなく、非接続状態の検出時における音量と同じ大きさの音量でスピーカから音声を出力させることができる。
【０００９】
また、本発明に係る電子機器は、上記の電子機器において、前記音量調整部は、前記音量の上昇中において所定の操作がされたときに当該音量の上昇を停止する。
【００１０】
この電子機器では、音量の上昇中において例えばリモコンの操作等の所定の操作がされたときに、音量調整部が音量の上昇を停止する。このため、スピーカから出力させる音声を任意の音量に設定することができる。
【発明を実施するための最良の形態】
【００１１】
以下、本発明に係る電子機器の最良の形態について、添付図面を参照して説明する。図１に示すテレビ１（本発明に係る電子機器の一例）は、プロジェクションテレビであって、本体部２およびリモコン３を備えている。本体部２は、チューナ１１、放送信号処理部１２、表示装置１３、音響装置１４、受光部１５および主制御部１６を備えている。
【００１２】
チューナ１１は、主制御部１６の制御に従い、指定されたチャンネルの放送信号Ｓｂを図外のアンテナで受信した放送波から抽出して放送信号処理部１２に出力する。放送信号処理部１２は、例えば、ＩＦ回路、音声検波回路、映像検波回路およびＡ／Ｄ変換部（いずれも図示せず）などを備えている。この場合、放送信号処理部１２は、チューナ１１から出力された放送信号Ｓｂに基づく映像データＤｐおよび音声データＤｓを表示装置１３および音響装置１４にそれぞれ出力する。
【００１３】
表示装置１３は、図１に示すように、表示部２１および映像出力部２２を備えている。表示部２１は、光学エンジン３１およびスクリーンパネル３２を備えている。光学エンジン３１は、本体部２の内部に配設されて、映像出力部２２から出力された表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが反射ミラーによって反射されてスクリーンパネル３２に投射されるが、本発明についての理解を容易とするために、その図示および説明を省略する。スクリーンパネル３２は、光学エンジン３１から投射された投射光Ｌを受光して映像を表示する。映像出力部２２は、主制御部１６の制御に従い、放送信号処理部１２から出力された映像データＤｐに基づき、例えば、図２に示すテレビ映像Ｐｔを表示させるための表示用信号Ｓｅを生成して光学エンジン３１に出力する。
【００１４】
音響装置１４は、図１に示すように、音声出力部４１、音量調整部４２、検出部４３、音声出力切替部４４、基準音量メモリ４５、スピーカ４６およびヘッドホンジャック４７を備えている。音声出力部４１は、主制御部１６の制御に従い、放送信号処理部１２から出力された音声データＤｓに基づいて音声信号Ｓｓを生成して音量調整部４２に出力する。音量調整部４２は、主制御部１６の制御に従い、音声信号Ｓｓの音量（信号レベル）を調整して音声出力切替部４４に出力する。この場合、音量調整部４２は、後述する音量調整処理を実行することにより、音声信号Ｓｓの音量、つまりスピーカ４６およびヘッドホン４（同図参照）から出力される音声の音量を制御する。検出部４３は、例えば、図２に示すヘッドホン４のプラグ４ａがヘッドホンジャック４７に挿入されたとき（接続状態のとき）に検出信号Ｓｄを音量調整部４２および音声出力切替部４４に出力し、プラグ４ａがヘッドホンジャック４７から抜き取られているとき（非接続状態のとき）に検出信号Ｓｄの出力を停止する。
【００１５】
音声出力切替部４４（本発明における切替部）は、検出部４３からの検出信号Ｓｄの出力の有無に応じて、スピーカ４６およびヘッドホンジャック４７のいずれか一方に音声信号Ｓｓを出力する。この場合、音声出力切替部４４は、検出信号Ｓｄが出力されているときには音声信号Ｓｓをヘッドホンジャック４７に出力し、検出信号Ｓｄの出力が停止したときには音声信号Ｓｓの出力先をヘッドホンジャック４７からスピーカ４６に切り替える。基準音量メモリ４５は、主制御部１６の制御に従って基準音量データＤｖを記憶する。この場合、基準音量データＤｖは、例えば、番組の視聴中にヘッドホンジャック４７からプラグ４ａが抜き取られたときに、スピーカ４６から大音量の音声が突然出力される事態を防止するための所定の低レベルの音量（本発明における所定の音量レベル）を示すデータであって、後述するように、リモコン３の操作によって入力される。スピーカ４６は、音声信号Ｓｓに基づく音声を出力する。ヘッドホンジャック４７は、本発明における音声出力端子に相当し、図２に示すように、テレビ１の正面パネルに取り付けられている。この場合、ヘッドホンジャック４７は、例えば、同図に示すヘッドホン４のプラグ４ａが挿入（接続）されている状態において、プラグ４ａに音声信号Ｓｓを出力する。
【００１６】
受光部１５は、リモコン３から出力された赤外線信号Ｓｉを受光して光電変換して操作信号Ｓｏを出力する。主制御部１６は、受光部１５から出力された操作信号Ｓｏに従い、チューナ１１、放送信号処理部１２、表示装置１３および音響装置１４を制御する。また、主制御部１６は、リモコン３の操作によって基準音量が設定されたときには、その基準音量を示す基準音量データＤｖを生成して基準音量メモリ４５に記憶させる。
【００１７】
リモコン３は、図２に示すように、本体部２とは別体に形成されている。また、リモコン３は、電源スイッチ５１、チャンネルスイッチ５２，５２・・、基準音量設定スイッチ５３および音量スイッチ５４，５４などの各種スイッチが配列されて構成され、これらのスイッチが操作されたときに、各スイッチに対応する操作信号を赤外線信号Ｓｉに変換して出力する。
【００１８】
次に、テレビ１の全体的な動作について、図面を参照して説明する。なお、初期状態では、テレビ１のヘッドホンジャック４７には、ヘッドホン４のプラグ４ａ（図２参照）が接続されていないものとする。このテレビ１では、リモコン３の電源スイッチ５１が操作された際に、表示装置１３の光学エンジン３１に電源が供給されて、光源が発光する。また、主制御部１６が、チューナ１１を制御して、直前の電源切断時に選局されていたチャンネル（例えばチャンネルＣＨ３）の放送信号Ｓｂを抽出させる。次いで、チューナ１１が、主制御部１６の制御に従ってチャンネルＣＨ３の放送信号Ｓｂを放送信号処理部１２に出力する。続いて、放送信号処理部１２が、放送信号Ｓｂに基づく映像データＤｐおよび音声データＤｓを表示装置１３の映像出力部２２および音響装置１４の音声出力部４１にそれぞれ出力する。
【００１９】
次に、映像出力部２２が、映像データＤｐに基づく表示用信号Ｓｅを生成して表示部２１の光学エンジン３１に出力する。光学エンジン３１は、光源からの光を表示用信号Ｓｅに基づいて投射光Ｌに変調してスクリーンパネル３２に投射する。これにより、図２に示すように、チャンネルＣＨ３のテレビ映像Ｐｔがスクリーンパネル３２に表示される。また、音声出力部４１が、音声データＤｓに基づく音声信号Ｓｓを生成して音量調整部４２に出力する。次いで、音量調整部４２が、主制御部１６の制御に従い、音声信号Ｓｓを直前の電源切断時に設定されていた音量レベルに音量調整して（例えば、増幅して）音声出力切替部４４に出力する。この場合、この時点では、ヘッドホンジャック４７にヘッドホン４のプラグ４ａが接続されていないため、検出部４３は、検出信号Ｓｄの出力を停止している。このため、音声出力切替部４４は、音量調整部４２によって音量調整された音声信号Ｓｓをスピーカ４６に出力する。これにより、音声信号Ｓｓに基づく音声がスピーカ４６から出力される。
【００２０】
次に、例えば、図２に示すヘッドホン４を用いて音声を聴く際には、テレビ１の正面パネルに取り付けられたヘッドホンジャック４７にヘッドホン４のプラグ４ａを挿入する。この場合、このテレビ１では、上記したように、番組の視聴中にヘッドホンジャック４７からプラグ４ａが抜き取られたときにスピーカ４６から大音量の音声が突然出力される事態を防止するために、基準音量データＤｖの入力が可能となっている。この基準音量データＤｖを入力する際には、例えば、同図に示すリモコン３の基準音量設定スイッチ５３を操作する。次いで、音量スイッチ５４を操作して基準音量を任意の低レベルの音量に設定する。続いて、基準音量設定スイッチ５３を再度操作する。この際に、主制御部１６が、操作信号Ｓｏに従い、設定された基準音量を示す基準音量データＤｖを生成して基準音量メモリ４５に記憶させる。
【００２１】
一方、音響装置１４では、ヘッドホンジャック４７にプラグ４ａが挿入されたときに、検出部４３がプラグ４ａの挿入を検出して音量調整部４２および音声出力切替部４４に検出信号Ｓｄを出力する。これに応じて、音声出力切替部４４は、音声信号Ｓｓの出力先をスピーカ４６からヘッドホンジャック４７に切り替える。これにより、ヘッドホンジャック４７を介してプラグ４ａに音声信号Ｓｓが出力されて、音声信号Ｓｓに基づく音声がヘッドホン４から出力される。
【００２２】
続いて、ヘッドホン４の使用を中止して、スピーカ４６から音声を出力させるときには、ヘッドホンジャック４７からヘッドホン４のプラグ４ａを抜き取る。この際に、検出部４３がプラグ４ａの抜き取りを検出して検出信号Ｓｄの出力を停止する。これに応じて、音量調整部４２は、基準音量メモリ４５から基準音量データＤｖを読み出して、音声信号Ｓｓの音量レベルと基準音量とを比較する。この場合、例えば、図３に示すように、プラグ４ａが抜き取られた時点（同図に示すＡの時点）における音声信号Ｓｓの音量レベルが基準音量よりも大きいときには、音量調整部４２は、音声信号Ｓｓの音量レベルを基準音量まで低下させる。一方、音声出力切替部４４は、検出信号Ｓｄの出力停止に応じて、音声信号Ｓｓの出力先をヘッドホンジャック４７からスピーカ４６に切り替える。これにより、音声信号Ｓｓに基づく音声が基準音量でスピーカ４６から出力される。この場合、音声信号Ｓｓ（スピーカ４６に出力する音声）の音量レベルが基準音量まで低下されているため、ヘッドホン４を用いて聴いていた音声の音量が大きかったときであっても、プラグ４ａを引き抜いたときにスピーカ４６から大音量の音声が突然出力されてユーザを驚かせる事態が確実に防止される。
【００２３】
次に、音量調整部４２は、図３に示すように、プラグ４ａが抜き取られた時点（検出部４３によってプラグ４ａの抜き取りが検出された時点）における音声信号Ｓｓの音量レベルと同じレベルになる時点（同図に示すＢの時点）まで、音声信号Ｓｓの音量レベルを徐々に上昇させる。この場合、例えば、音声信号Ｓｓの音量レベルの上昇中にリモコン３の音量スイッチ５４が操作されて音量レベルが変更されたときには、音量調整部４２は、その時点（例えば、同図に示すＣの時点）で音量レベルの上昇を停止して、音声信号Ｓｓの音量レベルを変更された音量レベルに維持する。
【００２４】
このように、このテレビ１によれば、ヘッドホン４のプラグ４ａとヘッドホンジャック４７との非接続状態が検出部４３によって検出され、かつスピーカ４６に出力する音声の音量レベルが基準音量よりも大きいときに、音量調整部４２が、音声の音量レベルを基準音量まで低下させると共に、低下させた音量レベルを徐々に上昇させることにより、基準音量を任意の低レベルに設定することで、例えば、音量を大きく設定してヘッドホン４を用いて番組の音声を聴いている状態において、ヘッドホン４のプラグ４ａをヘッドホンジャック４７から引き抜いたとしても、スピーカ４６から大音量の音声が突然出力される事態を確実に防止することができる。したがって、スピーカ４６から大音量の音声が突然出力されることに起因する不都合を確実に解消することができる。
【００２５】
また、上昇させている音声の音量レベルがプラグ４ａの抜き取り時（検出部４３によるプラグ４ａの抜き取りの検出時）の音量まで上昇したときに、音量調整部４２が音量レベルの上昇を停止することにより、特別な操作を行うことなく、プラグ４ａの抜き取り時における音量と同じ大きさの音量でスピーカ４６から音声を出力させることができる。
【００２６】
また、音量の上昇中においてリモコン３の音量スイッチ５４が操作されたときに、音量調整部４２が音量レベルの上昇を停止することにより、スピーカ４６から出力させる音声を任意の音量に設定することができる。
【００２７】
なお、本発明は、上記の構成に限定されない。例えば、光学エンジン３１およびスクリーンパネル３２を備えて表示部２１を構成した例について上記したが、表示部として、ＣＲＴ、液晶表示パネルおよびプラズマディスプレイ等を採用することもできる。また、ヘッドホン４を用いる例について上記したが、ヘッドホン４に代えて、イヤホンを用いることもできる。また、スピーカ４６を備えたテレビ１を例に挙げて説明したが、必ずしもスピーカを備えている必要はなく、外部スピーカから音声を出力するタイプのテレビに本発明を適用することもできる。さらに、テレビに限定されず、ステレオやラジオ等の音響機器、ＶＴＲやＤＶＤ再生装置等のＡＶ機器、および音声出力可能なパソコン等の各種電子機器に本発明を適用することができる。
【図面の簡単な説明】
【００２８】
【図１】テレビ１の構成を示すブロック図である。
【図２】テレビ１およびヘッドホン４の正面図である。
【図３】音声信号Ｓｓ（音声）の音量レベルの時間的変化を示す遷移図である。
【符号の説明】
【００２９】
１  テレビ、４  ヘッドホン、４ａ  プラグ、４２  音量調整部、４３  検出部、４４  音声出力切替部、４６  スピーカ、４７  ヘッドホンジャック
【図１】
2006140866.tif 000003
【図２】
2006140866.tif 000004
【図３】
2006140866.tif 000005